(57)【特許請求の範囲】
【請求項１】
ケーシング内に所定の間隔を有して吊り下げられる多数の放電枠と、一対の無端チェーンに懸垂された複数枚の集塵極板によって全体としてループを形成し、前記放電枠を一個置きに周回する多数の移動電極とを備えた移動電極式電気集塵装置を組立てるにあたって、
前記ケーシング内の所定位置に前記放電枠を取り付けた後に、予めループの一箇所が切り離された状態に内作した前記移動電極の全長のほぼ中間部を吊ることによって、前記移動電極のループを二つ折りの状態で吊り上げ、次いでこの吊り上げた移動電極のループを前記ケーシングの上部開口から取り込んで、前記既に取り付けた放電枠の一個置きに放電枠を挟むようにして移動電極のループを吊り下ろし、次いで前記切り離された移動電極のループの両端部を前記ケーシング内の下方位置において接続するとともに、前記移動電極のループの吊り上げに際しては、前記一対のチェーンの取り付け間隔にほぼ等しい長さと前記放電枠の取り付け間隔にほぼ等しい幅の吊り点を有した吊り天秤を用いて、前記一対のチェーンを四点吊りすることを特徴とする移動電極式電気集塵装置の組立工法。
【発明の詳細な説明】
【０００１】
【発明の属する技術分野】
本発明は移動電極式電気集塵装置の組立工法に係り、特にケーシング内に所定の間隔を有して吊り下げられる多数の放電枠と、一対の無端チェーンに懸垂された複数枚の集塵極板によって全体としてループを形成し前記放電枠を一個置きに周回する多数の移動電極とを備えた移動電極式電気集塵装置を組立てる工法に関する。
【０００２】
【従来の技術】
この種の移動電極式電気集塵装置は、例えば火力発電所のボイラー排ガスや製鉄用各種炉の排ガス中の煤塵を除去するための電気集塵装置として知られている。その概略構造を図４〜図８に基づいて説明する。
【０００３】
図４において、移動電極式電気集塵装置１０はケーシング１２と、このケーシング１２の下部のホッパー１３と、ケーシング１２内に配設された多数の放電枠１４及び多数の移動電極１５とによって構成されており、入口煙道１６からケーシング１２内に導入された排ガス１７は、電気集塵の原理によって除塵され、出口煙道１８から排出される。捕集された煤塵はホッパー１３内に落下し、図示されない機構によって、排出口１９から取り出す。
【０００４】
図５は図４のＡ−Ａ矢視図であり、ケーシング１２内には所定の間隔を有して吊り下げられる多数の放電枠１４が吊り下げられている。又、この放電枠１４を一個置きに周回する多数の移動電極１５が配設されている。図６は放電枠１４の取り付け構造を示す側面図であり、図７は図６のＢ−Ｂ矢視図である。放電枠１４は格子状の枠体２０に多数本の放電線２１を張ったものであり、碍管２２から吊りロッド２３を介して吊り下げたフレーム２４の上段ビーム２５と下段ビーム２６に各放電枠１４から張り出した上部ブラケット２７と下部ブラケット２８をそれぞれ係止することによって吊り下げられている。なお、符号２９、３０は移動電極１５の駆動ホイール及び下部ローラーを示す。
【０００５】
図８は移動電極１５の詳細構造を示す斜視図であり、上部の駆動ホイール２９と下部ローラー３０との間には一対の無端チェーン３１、３１が張り渡されており、この一対の無端チェーン３１、３１に複数枚の集塵極板３２がその幅方向の中間部３３の位置で係止されることによって懸垂されており、全体としてループを形成している。駆動ホイール２９の軸３４は図示されない駆動機構によって回転し、この軸３４の回転が駆動ホイール２９と噛み合う一対の無端チェーン３１、３１に伝達されて、前記ループを形成する複数枚の集塵極板３２が前記放電枠１４を一個置きに周回移動する。
【０００６】
ところで、前記の移動電極式電気集塵装置１０は全体の高さが通常２０〜３０メートルに達するので、工場で全体構造を一体に制作することが困難である。このため、その組立にあたっては、現地の据付け場所にまず前記ケーシング１２を構築したのち、ケーシング１２内に前記放電枠１４や移動電極１５を取り付けることがもっぱら行われていた。
【０００７】
【発明が解決しようとする課題】
しかしながら、前記複数の放電枠１４の取り付け間隔は通常３００〜４００ｍｍであり、このケーシング１２内のスペース一杯に組み込んだ放電枠１４、１４の狭い間隔の中間にさらに前記移動電極１５の無端チェーン３１や集塵極板３２を配設しなければならず、作業スペースが少なく、作業足場を取り難いケーシング１２内でのこれら放電枠１４や移動電極１５の取り付け作業は非常に効率が悪かった。
このため、前記取り付け作業に要する工数が多くなり、建設費の高騰を招くとともに、建設期間が長引くという問題点があった。
【０００８】
本発明の目的は、上記従来技術の問題点を改善して、ケーシング１２内でのこれら放電枠１４や移動電極１５の取り付け作業を効率よく行うことができる移動電極式電気集塵装置の組立工法を提供することにある。
【０００９】
【課題を解決するための手段】
本発明に係る移動電極式電気集塵装置の組立工法は、ケーシング内に所定の間隔を有して吊り下げられる多数の放電枠と、一対の無端チェーンに懸垂された複数枚の集塵極板によって全体としてループを形成し前記放電枠を一個置きに周回する多数の移動電極とを備えた移動電極式電気集塵装置を組立てるにあたって、前記ケーシング内の所定位置に前記放電枠を取り付けた後に、予めループの一個所が切り離された状態に内作した前記移動電極の全長のほぼ中間部を吊ることによって、前記移動電極のループを二つ折りの状態で吊り上げ、次いでこの吊り上げた移動電極のループをケーシングの上部開口から取り込んで、前記既に取り付けた放電枠の一個置きに放電枠を挟むようにして移動電極のループを吊り下ろし、次いで前記切り離された移動電極のループの両端部を前記ケーシング内の下方位置において接続することを特徴とする。
【００１０】
また、本発明は前記移動電極のループの吊り上げに際しては、前記一対のチェーンの取り付け間隔にほぼ等しい長さと前記放電枠の取り付け間隔にほぼ等しい幅の吊り点を有した吊り天秤を用いて、前記一対のチェーンを四点吊りすることを特徴とする
【００１１】
【発明の実施の形態】
図１は本発明の実施例を示す断面図である。本実施例では次の順序によって移動電極式電気集塵装置を組立てる。
まず、ケーシング１２及びその下部のホッパー１３を構築する。ただし、この段階ではケーシング１２の天井面は取り付けず、上部開口４０としておく。
【００１２】
次いで、ケーシング１２内に前記多数の放電枠１４を取り付ける。放電枠１４の取り付けが終了した後に、前記移動電極用の駆動ホイール２９及び下部ローラー３０を取り付ける。なお、駆動ホイール２９や下部ローラー３０の取り付けを放電枠１４の取り付け前に行うと、これらが障害物となって放電枠１４の取り付け作業の効率が著しく低下する。
【００１３】
次に、移動電極１５の取付作業に移行する。まず、前記一対の無端チェーン３１、３１のそれぞれが一個所切り離された状態のチェーンに前記複数枚の集塵極板３２を連結して、これらの集塵極板３２によるループの一個所が切り離された状態の移動電極１５を内作しておく。次に図２（イ）に示すようにこの移動電極１５を前記ケーシング１２近傍の地上Ｇに搬入する。次いで、トラッククレーン４４からワイヤ４１を繰り下げる。
【００１４】
次に、図２（ロ）に示すようにワイヤ４１の下端に設けた吊り天秤４２の補助ワイヤ４３を前記内作した移動電極１５の全長のほぼ中間部に係止させて移動電極１５を吊り上げる。吊り天秤４２は図３に示すように移動電極１５の一対の無端チェーン３１、３１の取り付け間隔にほぼ等しい長さと前記放電枠１４の取り付け間隔にほぼ等しい幅の吊り点を有しており、この吊り天秤４２の両端から二本づつの補助ワイヤ４３を垂らし、これらの補助ワイヤ４３によってチェーン３１を吊る。したがって、一対のチェーン３１、３１を四点吊りの安定した状態で吊ることができる。
【００１５】
次いで、図２（ハ）に示すようにケーシング１２の上部開口４０からの移動電極１５のケーシング１２内への吊り込み作業を行う。図１は一番目の移動電極１５Ａの取り付けが終了して、二番目の移動電極１５Ｂの吊り込み作業の途中段階を示している。前記したように吊り天秤４２は移動電極１５の一対の無端チェーン３１、３１の取り付け間隔にほぼ等しい長さと前記放電枠１４の取り付け間隔にほぼ等しい幅の吊り点を有しており、、これらの吊り点から垂らした補助ワイヤ４３によって移動電極１５を吊るので、移動電極１５の吊り姿は取り付け完了時の姿と近似し、移動電極１５を無理なくケーシング１２内へ吊り下ろすことができる。
【００１６】
次いで、図２（ニ）は移動電極１５のケーシング１２内への吊り込みが完了し、移動電極１５を駆動ホイール２９に係合させて吊り下げた状態を示す。この後、前記切り離された移動電極１５のループの両端部４６、４６を前記ケーシング内の下部ローラー３０の下方位置において接続し、最後に下部ローラー３０との位置合わせを行うことによって、一組の移動電極１５の取り付けが完了する。
【００１７】
なお、上記の両端部４６、４６の接続作業や下部ローラー３０との位置合わせ作業は、図1に示したようにケーシング１２内の下方位置に仮設足場４５を予め設置しておき、この仮設足場４５を利用して行う。
【００１８】
以下、同様の手順で複数の移動電極１５を順次、前記既に取り付けた放電枠１４の一個置きに放電枠１４を挟むようにして取り付けて行く。すべての移動電極１５の取り付けが完了した後、適当な時期に前記上部開口４０を天井部材で覆うと共に、前記仮設足場４５を撤去して、移動電極式電気集塵装置における主要構成部材の組立てが終了する。
【００１９】
以上に述べたように、本実施例によればケーシング内の所定位置に放電枠を取り付けた後に、移動電極のループを二つ折りの状態で吊り上げ、次いでこの吊り上げた移動電極のループをケーシングの上部開口から取り込み、次いで切り離された移動電極のループの両端部をケーシング内の下方位置において接続するようにしたので、放電枠及び移動電極の取り付けを円滑に効率よく行うことができる。
【００２０】
また、前記移動電極のループの吊り上げに際しては、一対のチェーンの取り付け間隔にほぼ等しい長さと前記放電枠の取り付け間隔にほぼ等しい幅の吊り点を有した吊り天秤を用いて、前記一対のチェーンを四点吊りするようにしたので、移動電極を安定した状態で吊ることができ、無理なくケーシング内へ吊り下ろすことができる。
【００２１】
【発明の効果】
本発明によれば、移動電極式電気集塵装置を組立てるにあたって、ケーシング内での放電枠や移動電極の取り付け作業を効率よく行うことができる。
【図面の簡単な説明】
【図１】本発明の一実施例を示す断面図である。
【図２】 本発明に係る移動電極の取り付け手順を示す説明図である。
【図３】本発明に係る移動電極を吊るための態様を示す斜視図である。
【図４】移動電極式電気集塵装置の一般的な構成を示す側断面図である。
【図５】図４のＡ−Ａ矢視図である。
【図６】放電枠の取り付け構造を示す側面図である。
【図７】図６のＢ−Ｂ矢視図である。
【図８】移動電極の詳細構造を示す斜視図である。
【符号の説明】
１２……ケーシング
１３……ホッパー
１４……放電枠
１５……移動電極
２９……駆動ホイール
３１……無端チェーン
３２……集塵極板
４０……上部開口
４２……吊り天秤
４５……仮設足場
【図１】
0003931483.tif 000002
【図２】
0003931483.tif 000003
【図３】
0003931483.tif 000004
【図４】
0003931483.tif 000005
【図５】
0003931483.tif 000006
【図６】
0003931483.tif 000007
【図７】
0003931483.tif 000008
【図８】
0003931483.tif 000009